(57)【特許請求の範囲】
【請求項１】
刺激を与えることによって硬化する硬化型樹脂及び溶剤を含むインクを被記録媒体に吐出するヘッドと、
上記被記録媒体上に吐出されたインク中の上記硬化型樹脂を硬化するための刺激を与える硬化部と、
上記ヘッド及び上記硬化部と上記被記録媒体との位置を相対的に移動させる駆動部と、
を備え、
上記被記録媒体が上記ヘッドから吐出されるインクを受ける被吐出領域と、
上記被記録媒体上に吐出されたインク中の溶剤を蒸散させるための溶剤蒸散領域と、
上記被記録媒体上に上記刺激が付与される硬化領域と、が設けられており、
上記被吐出領域及び上記溶剤蒸散領域と、上記硬化領域とは少なくとも異なる場所にあり、
上記溶剤蒸散領域に、上記被記録媒体を載置して加熱するための蒸散用載置台を備え、
上記硬化部は、
上記蒸散用載置台の末端であって、上記硬化領域側の末端よりも、上記硬化領域側にあり、
上記刺激の発生に発熱を伴い、
上記駆動部により、上記被吐出領域、上記溶剤蒸散領域、上記硬化領域の順に上記被記録媒体がそれぞれの領域に入るものであり、
上記硬化領域が、上記溶剤蒸散領域と重畳せず、かつ、当該溶剤蒸散領域と同一平面上になく、
上記刺激は紫外線であり、上記硬化型樹脂は紫外線硬化型樹脂であり、
上記被吐出領域は、水平方向に延伸しており、
上記硬化領域は、上記被吐出領域及び上記溶剤蒸散領域よりも下側に設けられている、
ことを特徴とするインクジェット装置。
【請求項２】
上記硬化部から発熱した熱にて加熱された気体を上記硬化領域から上記溶剤蒸散領域に送る送風部をさらに備えることを特徴とする請求項１に記載のインクジェット装置。
【請求項３】
上記溶剤蒸散領域に、上記蒸散用載置台及びその上に載置される上記被記録媒体を覆う被覆部と、をさらに備えることを特徴とする請求項１又は２に記載のインクジェット装置。
【請求項４】
上記被覆部は、上記硬化領域から漏れる刺激の少なくとも一部が自装置外に漏れることを防止する位置にあることを特徴とする請求項３に記載のインクジェット装置。
【請求項５】
上記駆動部は、上記被吐出領域の上流に設けられたローラから巻き出された上記被記録媒体を、上記硬化領域よりも下流に設けられたローラにより巻き取ることによって、上記被記録媒体を搬送するようになっていることを特徴とする請求項１〜４のいずれか１項に記載のインクジェット装置。
【発明の詳細な説明】
【技術分野】
【０００１】
本発明はインクジェット装置に関するものである。
【背景技術】
【０００２】
紫外線硬化型インクを用いるインクジェットプリンタとして、特許文献１には、印刷媒体上を漂うインクミストによる光源ユニットの汚れを抑制することを目的とするインクジェットプリンタが記載されている。
【先行技術文献】
【特許文献】
【０００３】
【特許文献１】特開２０１０−７３５号公報（２０１０年１月７日公開）
【発明の概要】
【発明が解決しようとする課題】
【０００４】
しかしながら、特許文献１に記載のインクジェットプリンタは紫外線硬化型の樹脂が溶剤に溶解したインクを用いることができない。
【０００５】
本発明はこのような事情に鑑みてなされたものであり、紫外線硬化型樹脂等の外部から刺激を受けて硬化する硬化型樹脂及び溶剤を含むインクを用いてインクジェットプリントするためのインクジェット装置を提供することを目的とする。
【課題を解決するための手段】
【０００６】
上記の課題を解決するために、本発明に係るインクジェット装置は、刺激を与えることによって硬化する硬化型樹脂及び溶剤を含むインクを被記録媒体に吐出するヘッドと、上記被記録媒体上に吐出されたインク中の上記硬化型樹脂を硬化するための刺激を与える硬化部と、上記ヘッド及び上記硬化部と上記被記録媒体との位置を相対的に移動させる駆動部と、を備え、上記被記録媒体が上記ヘッドから吐出されるインクを受ける被吐出領域と、上記被記録媒体上に吐出されたインク中の溶剤を蒸散させるための溶剤蒸散領域と、上記被記録媒体上に上記刺激が付与される硬化領域と、が設けられており、上記被吐出領域及び上記溶剤蒸散領域と、上記硬化領域とは少なくとも異なる場所にあり、上記溶剤蒸散領域に、上記被記録媒体を載置して加熱するための蒸散用載置台を備え、上記硬化部は、上記蒸散用載置台の末端であって、上記硬化領域側の末端よりも、上記硬化領域側にあり、上記刺激の発生に発熱を伴い、上記駆動部により、上記被吐出領域、上記溶剤蒸散領域、上記硬化領域の順に上記被記録媒体がそれぞれの領域に入るものであり、上記硬化領域が、上記溶剤蒸散領域と重畳せず、かつ、当該溶剤蒸散領域と同一平面上になく、上記刺激は紫外線であり、上記硬化型樹脂は紫外線硬化型樹脂であり、上記被吐出領域は、水平方向に延伸しており、上記硬化領域は、上記被吐出領域及び上記溶剤蒸散領域よりも下側に設けられている、ことを特徴とする。
【０００７】
溶剤を溶剤蒸散領域で蒸散させて、次に、硬化領域で硬化型樹脂を硬化させることができるので、硬化型樹脂及び溶剤を含むインクを用いてインクジェットプリントすることできる。また、蒸散用載置台による加熱で溶剤をより迅速に蒸散させることができる。また、蒸散用載置台の全ての熱を溶剤の蒸散に利用できるので省エネルギーである。また、送風部をも備える形態である場合、蒸散用載置台が発する熱が送風部による冷却に与える影響をより小さくすることができる。本発明に係るインクジェット装置は紫外線硬化型インクに好適に用いることができる。
【０００８】
本発明に係るインクジェット装置では、上記硬化部から発熱した熱にて加熱された気体を上記硬化領域から上記溶剤蒸散領域に送る送風部をさらに備えることがより好ましい。
【０００９】
送風部によって、硬化部を冷却すると共に、発熱した熱を冷却することで暖められた気体で溶剤の蒸散を行なえるため、効率的に溶剤の蒸散を行なうことができる。
【００１０】
本発明に係るインクジェット装置では、上記蒸散用載置台及びその上に載置される上記被記録媒体を覆う被覆部と、をさらに備えることがより好ましい
【００１２】
また、被覆部で覆っていることにより、溶剤蒸散領域に蒸散用載置台から発せられる熱がより長時間存在するので、溶剤の蒸散がより迅速となる。
【００１３】
また、上述の送風部をも備える形態であれば、被覆部が当該送風部から送られた、暖められた気体を被記録媒体上に保つので、被記録媒体の表面からも裏面からも暖めることができ、溶剤の蒸散がより迅速となる。
【００１４】
本発明に係るインクジェット装置では、上記被覆部は、上記硬化領域から漏れる刺激の少なくとも一部が自装置外に漏れることを防止する位置にあることがより好ましい。
【００１５】
例えば安全規格上、自装置外への当該刺激の漏れが制限されている場合、被覆部によって当該刺激の漏れを防ぐことができる。よって、安全性がより向上する。
【発明の効果】
【００１９】
本発明によれば、紫外線硬化型樹脂等の外部から刺激を受けて硬化する硬化型樹脂及び溶剤を含むインクを用いてインクジェットプリントすることができるという効果を奏する。
【図面の簡単な説明】
【００２０】
【図１】本発明の一実施形態であるインクジェット装置１の構成を模式的に示す図である。
【図２】本発明の一実施形態であるインクジェット装置１の概観を示す図である。
【図３】本発明の一実施形態であるインクジェット装置１が備える紫外線照射部５の構成を示す図である。
【図４】本発明の一実施形態であるインクジェット装置１が備える紫外線照射部５及びファン６の別の形態の構成を示す図である。
【発明を実施するための形態】
【００２１】
〔インクジェット装置１の構成〕
以下、本発明の一実施形態であるインクジェット装置１の構成について図１〜図３を用いて説明する。図１はインクジェット装置１の構成を模式的に示す図である。図２はインクジェット装置１の概観を示す図である。図３はインクジェット装置１が備える紫外線照射部５の構成を示す図である。
【００２２】
図１及び図２に示すようにインクジェット装置１はヘッド２、プラテン３、カバー（被覆部）４、紫外線照射部（硬化部）５、ファン（送風部）６及び駆動ローラ（駆動部）７ａ、駆動巻き取りローラ（駆動部）７ｂ及び従動ローラ８ａ、８ｂを備えている。また、インクジェット装置１はメディア（被記録媒体）１００に紫外線硬化型インクを吐出してインクジェットプリントするための装置である。
【００２３】
また、ヘッド２と後述するメインプラテン３ｂとの間にインク吐出領域（被吐出領域）Ｒ１が設けられている。カバー４と後述するアフタプラテン３ｃとの間に溶剤蒸散領域Ｒ２が設けられている。紫外線照射部５から照射される紫外線を受けることができる領域に紫外線照射領域Ｒ３が設けられている。
【００２４】
ヘッド２はメディア１００に紫外線硬化型インクを吐出するためのものである。これにより、メディア１００上には紫外線硬化型樹脂及び溶剤が存在することとなる。なお、本実施形態では説明の簡単のためヘッド２が一つのみの場合について記載するが、ヘッド２の数は複数であってもよい。多くの場合、ヘッド２を複数備えており、例えばスタガ配列等を形成することによって、インク吐出領域Ｒ１においてメディア１００にインクを吐出する。
【００２５】
本実施形態では紫外線硬化型インクを用いる装置について説明するが、本発明に係るインクジェット装置で使用できるインクが含む硬化型樹脂は、紫外線硬化型樹脂に限定されない。
【００２６】
ここで、本明細書において「硬化型樹脂」は、刺激を与えることによって硬化する樹脂をいう。例えば、モノマー及びオリゴマーのいずれか一方又は双方を含む、中粘度、例えば１００〜２，０００ｍＰａ・ｓで、紫外線（ＵＶ）等のエネルギー線で硬化する樹脂である（以下、「紫外線」を「ＵＶ」ともいう。）。具体的には、紫外線の照射により硬化する紫外線硬化型樹脂、電子線の照射により硬化する電子線硬化型樹脂、エポキシ樹脂等のように熱で硬化する熱硬化型樹脂、ラテックス等のように乾燥させることで硬化する熱乾燥型硬化樹脂等が挙げられる。
【００２７】
また、紫外線硬化型樹脂としては、カチオン重合型樹脂、ラジカル重合型樹脂又はこれらの混合物であってもよい。
【００２８】
また、本発明に係るインクジェット装置で使用できるインクが含む溶剤の種類としては、硬化型樹脂の種類等に応じて適宜設定すればよい。
【００２９】
プラテン３は、プレプラテン３ａ、メインプラテン３ｂ、アフタプラテン（溶剤蒸散用載置台）３ｃから構成されている。
【００３０】
プレプラテン３ａ、メインプラテン３ｂ及びアフタプラテン３ｃのいずれもメディア１００を載せるための載置台である。また、プレプラテン３ａ、メインプラテン３ｂ及びアフタプラテン３ｃのいずれもその上に載せられるメディア１００を加熱することができる。
【００３１】
カバー４はアフタプラテン３ｃ上のメディア１００を覆うためのものである。カバー４は以下の二つの機能を果たす。ただし、本発明に係るインクジェット装置が被覆部を備える場合、その機能は、以下の二つのいずれをも果たすものに限定されず、いずれか一方の機能を果たせばよい。
【００３２】
一つ目の機能は溶剤を蒸散させるための熱を、より長時間、溶剤蒸散領域Ｒ２に保つ機能である。アフタプラテン３ｃから発せられる熱がカバー４で覆っている領域である溶剤蒸散領域Ｒ２内により長時間保たれる。また、後述するファン６から運ばれる暖かい空気（気体）を溶剤蒸散領域Ｒ２により長時間留めることができる。これにより、メディア１００は表面からも裏面からも暖められ、より短時間で溶剤を蒸散させることができる。なお、ファン６から送られる空気を溶剤蒸散領域Ｒ２に導く形状をしていてもよい。つまり、本発明に係るインクジェット装置が備える送風部は、ファン等の送風機のみで構成されるものでもよく、送風機から送られる気体を導く誘導手段と送風機とで構成されていてもよい。
【００３３】
二つ目の機能は紫外線をインクジェット装置１外に漏れることを防ぐ機能であるメディア１００が搬送される際に紫外線照射領域Ｒ３を通過させるために、紫外線照射部５とメディア１００における当該紫外線照射部５に対向する領域との間に隙間が存在する。この隙間から紫外線が漏れる場合があるが、カバー４は、紫外線照射領域Ｒ３から漏れる紫外線の少なくとも一部がインクジェット装置１外に漏れることを防止する位置にある。よって、インクジェット装置１外に紫外線が漏れることを防ぐことができ、安全性が向上する。
【００３４】
紫外線照射部５の構成について図３を用いて説明する。紫外線照射部５は紫外線ランプ５ａ及び反射板５ｂを備えている。
【００３５】
紫外線ランプ５ａから照射された紫外線は直接的に、又は、反射板５ｂで反射されて間接的にメディア１００上に照射される。これによりメディア１００上の紫外線硬化型樹脂は、紫外線の照射を受けて硬化する。
【００３６】
また、紫外線照射部５は、図１に示すように、アフタプラテン３ｃの末端であって、紫外線照射領域Ｒ３側の末端よりも、紫外線照射領域Ｒ３側にある。これにより、アフタプラテン３ｃの全ての熱を溶剤の蒸散のために利用できるので省エネルギーである。つまり、仮に、紫外線照射領域Ｒ３の一部がアフタプラテン３ｃに重畳していれば、アフタプラテン３ｃの全面を用いて加熱する前に紫外線硬化の処理が始まってしまう。しかし、本実施形態によれば、アフタプラテン３ｃと紫外線照射領域Ｒ３とが重畳していないので、アフタプラテン３ｃの全てを用いて溶剤を蒸散させた後に、紫外線照射を行なうことができる。また、アフタプラテン３ｃが発する熱がファン６による冷却に与える影響をより小さくすることができる。つまり、仮にアフタプラテン３ｃと紫外線照射領域Ｒ３とが重畳していれば紫外線照射領域Ｒ３がアフタプラテン３ｃによって暖められてしまい、冷却効率が低下するが、アフタプラテン３ｃと紫外線照射領域Ｒ３とが重畳していないので、冷却効率の低下を防ぐことができる。また、アフタプラテン３ｃの全ての熱を効率よく溶剤の蒸散のために用いることができるため、アフタプラテン３ｃの設定温度をより低くしても十分な溶剤蒸散効果が得られるようになり、省エネルギーである。
【００３７】
なお、紫外線ランプ５ａは紫外線を発生させるに伴い発熱する。
【００３８】
ファン６は、紫外線ランプ５ａの発熱により暖められた空気を紫外線照射領域Ｒ３から溶剤蒸散領域Ｒ２に送るためのものである。これにより、紫外線照射部５を冷却することができ、また、溶剤の蒸散をより省エネルギー且つより迅速に行なうことができる。
【００３９】
本実施形態では、本発明に係るインクジェット装置が備える送風部をファンのみで構成しているが、この形態には限定されない。例えば、ファンのみでは空気を送る方向が十分に制御できない場合、及び、溶剤照射領域に送る空気の量をより増やすことをユーザが希望する場合には、風の方向を誘導する誘導部を備えてもよい。例えば、本実施の形態でいえばカバー４が誘導部の機能をも果たしてもよい。換言すれば、ファン６及びカバー４で送風部を構成してもよい。
【００４０】
駆動ローラ７ａ及び駆動巻き取りローラ７ｂはメディア１００を移動させるものであり、この２つのローラが駆動部７を構成している。駆動ローラ７ａは、プレプラテン３ａとメインプラテン３ｂとの間に配置されており、駆動巻き取りローラ７ｂはメディア１００の搬送経路の下流側に配置されている。駆動ローラ７ａ及び駆動巻き取りローラ７ｂはともにローラから構成されている。
【００４１】
また、後述する従動ローラ８ａに巻きつけられたメディア１００を駆動巻き取りローラ７ｂが巻き取ることによって、メディア１００が移動する。具体的には、メディア１００は駆動ローラ７ａ及び駆動巻き取りローラ７ｂによって、インク吐出領域Ｒ１、溶剤蒸散領域Ｒ２、紫外線照射領域Ｒ３の順に移動させられる。
【００４２】
なお、駆動巻き取りローラ７ｂは駆動ローラ７ａと同様に、駆動するものであるが、駆動ローラ７ａよりも回転速度が速いことが好ましい。駆動巻き取りローラ７ｂの回転速度を駆動ローラ７ａよりも早くすることによって、メディア１００にたるみが生じず、安定してメディア１００を搬送できる。
【００４３】
また、従動ローラ８ａ、８ｂは、駆動ローラ７ａ及び駆動巻き取りローラ７ｂによるメディア１００の搬送を補助するためのものである。従動ローラ８ａには、メディア１００が巻きつけられており、回転させることによってメディア１００をインク吐出領域Ｒ１等のある方へ供給することができる。また、メディア１００を駆動ローラ７ａ上に載置して、駆動ローラ７ａを駆動することにより、従動ローラ８ａは従動回転し、メディア１００は移動する。従動ローラ８ｂは、メディアを介して駆動ローラ７ａと対面しており、駆動ローラ７ａの駆動に応じて従動回転する。
【００４４】
なお、本発明に係るインクジェット装置が備える駆動部はローラに限定されず、被記録媒体と硬化部及びヘッドとの位置を相対的に移動させて、それぞれ異なる場所にある被吐出領域、溶剤蒸散領域及び硬化領域に、この順に被記録媒体が入るように駆動させるものであればよい。例えばベルトコンベア等で構成してもよい。また、被記録媒体を固定して、ヘッド及び紫外線ランプ等のインクジェット装置を構成する部材を移動させるものであってもよい。
【００４５】
次に、インクジェット装置１に設けられている３つの領域について説明する。
【００４６】
インク吐出領域Ｒ１は、メディア１００がヘッド２から吐出されるインクを受ける領域である。この領域でメディア１００には紫外線硬化型樹脂及び溶剤を含むインクを受ける。インク吐出領域Ｒ１はヘッド２が吐出するインクが届く領域である。
【００４７】
溶剤蒸散領域Ｒ２は、メディア１００上に吐出されたインク中の溶剤を蒸散させるための領域である。具体的にはアフタプラテン３ｃの上であってカバー４で覆われている領域である。この領域にはアフタプラテンから発せられる熱及びファン６によって送られる空気があるため、メディア１００上にある溶剤が蒸散し、メディア１００上には紫外線硬化型樹脂が残る。
【００４８】
本実施形態における溶剤蒸散領域Ｒ２は熱により溶剤を蒸散させる領域であるが、本発明はこの形態には限定されない。つまり、本発明に係るインクジェット装置に設けられている溶剤蒸散領域は、溶剤を蒸散させるためのスペースであればよい。例えば、被記録媒体を放置しておくことによって、乾燥させて溶剤を蒸散させるためのスペースが設けられているだけでもよい。
【００４９】
また、本実施形態では、インク吐出領域Ｒ１と溶剤蒸散領域Ｒ２を別々に設けているが、本発明においてはこれらの領域は同一のものであってもよい。例えば、ヘッドに熱源を設けてヘッドからインクを被記録媒体に吐出するとともに、熱源によってインクに含まれる溶剤を蒸散させること、又は被吐出領域と対面している載置台に熱源を設けること等によって、被吐出領域と溶剤蒸散領域とを同一の領域にすることが可能である。被吐出領域と溶剤蒸散領域とが同一の領域の場合には、駆動部は被記録媒体を被吐出領域であり、且つ、溶剤蒸散領域である領域に入れた後に、上記硬化領域に入れる。
【００５０】
紫外線照射領域Ｒ３は、メディア１００上の紫外線硬化型樹脂を硬化させるための紫外線が照射（付与）され得る領域である。つまり、紫外線ランプ５ａから照射される紫外線が、紫外線硬化型樹脂を硬化させるために必要な量だけ照射され得る領域である。
【００５１】
〔インクジェット装置１の動作〕
次にインクジェット装置１の動作について説明する。
【００５２】
まず、従動ローラ８ａに巻きつけられたメディア１００が、駆動ローラ７ａ及び駆動巻き取りローラ７ｂを駆動させて、駆動巻き取りローラ７ｂにメディア１００が巻きつけられることによって移動を開始する。移動の方向は、メディア１００が、インク吐出領域Ｒ１、溶剤蒸散領域Ｒ２、紫外線照射領域Ｒ３の順に各領域に入る方向とする。
【００５３】
メディア１００はプレプラテン３ａ上を通った後、メインプラテン３ｂ上に載置されてインク吐出領域Ｒ１に入る。なお、プレプラテン３ａ上では、後の溶剤の蒸散を効率的に行なうため予め暖められてもよい。
【００５４】
インク吐出領域Ｒ１ではヘッド２からインクが吐出される。ヘッド２は、図１の書面に対して手前方向及び奥方向に往復運動しながら、予めインプットされた文字や絵の情報に基づいてメディア１００上にインクを吐出する。このとき、メディア１００上には紫外線硬化型樹脂及び溶剤が存在することになる。
【００５５】
次に、メディア１００のインクが吐出された領域（着弾領域）は溶剤蒸散領域Ｒ２に入る。溶剤蒸散領域Ｒ２ではアフタプラテン３ｃによる加熱及びファン６から送られる空気が持つ熱によって、着弾されたインク滴から溶剤が蒸散する。これにより、着弾領域には紫外線硬化型樹脂が残ることになる。
【００５６】
次に、メディア１００の着弾領域は紫外線照射領域Ｒ３に入る。紫外線照射領域Ｒ３では、着弾領域上に紫外線が照射される。これにより、メディア１００上の紫外線硬化型樹脂は硬化することで印刷が終了する。最後にローラにメディア１００が巻きつけられて処理は終了する。
【００５７】
〔紫外線照射部５及びファン６の変形例〕
次に紫外線照射部５及びファン６の変形例について図４を用いて説明する。図４はインクジェット装置１が備える紫外線照射部５及びファン６の別の形態の構成を示す図である。
【００５８】
本別の形態に係る紫外線照射部５は紫外線ランプ５ａ及び反射板５ｂを備えている。
【００５９】
ファン６は、紫外線ランプ５ａからみて溶剤蒸散領域Ｒ２とは反対側に配置されている。また、ファン６で空気が送られる方向に通気口６’が設けられている。これにより、紫外線ランプ５ａが発した熱により暖められた空気がファン６によって、通気口６’を介して溶剤蒸散領域Ｒ２に送られる。
【００６０】
なお、通気口６’の位置にさらにファンを設ける構成であってもよい。このような構成であれば、より精密に紫外線照射部５内の空気の流量を制御でき、ひいては温度もより精密に制御できる。
【００６１】
〔付記事項〕
以上のように、インクジェット装置１は、紫外線硬化型樹脂及び溶剤を含むインクをメディア１００に吐出するヘッド２と、メディア１００上に吐出されたインク中の紫外線硬化型樹脂を硬化するための紫外線を照射する紫外線照射部５と、メディア１００を移動させる駆動部７と、を備え、メディア１００がヘッド２から吐出されるインクを受けるインク吐出領域Ｒ１と、メディア１００上に吐出されたインク中の溶剤を蒸散させるための溶剤蒸散領域Ｒ２と、メディア１００上に紫外線が付与される紫外線照射領域Ｒ３と、が設けられており、インク吐出領域Ｒ１及び溶剤蒸散領域Ｒ２と、紫外線照射領域Ｒ３とは少なくとも異なる場所にあり、駆動部７は、インク吐出領域Ｒ１、溶剤蒸散領域Ｒ２、紫外線照射領域Ｒ３の順にメディア１００を移動させるものである。
【００６２】
溶剤を溶剤蒸散領域Ｒ２で蒸散させて、次に、紫外線照射領域Ｒ３で紫外線硬化型樹脂を硬化させることができるので、紫外線硬化型樹脂及び溶剤を含むインクを用いてインクジェットプリントすることできる。
【００６３】
インクジェット装置１では、紫外線の発生には発熱を伴い、紫外線照射部５から発熱した熱にて加熱された気体を紫外線照射領域Ｒ３から溶剤蒸散領域Ｒ２に送るファン６をさらに備えている。
【００６４】
ファン６によって、紫外線照射部５を冷却すると共に、発熱した熱を冷却することで暖められた気体で溶剤の蒸散を行なえるため、効率的に溶剤の蒸散を行なうことができる。
【００６５】
インクジェット装置１では、溶剤蒸散領域Ｒ２に、メディア１００を載置して加熱するためのアフタプラテン３ｃと、アフタプラテン３ｃ及びその上に載置されるメディア１００を覆うカバー４と、をさらに備える。
【００６６】
アフタプラテン３ｃによる加熱で溶剤をより迅速に蒸散させることができる。
【００６７】
また、カバー４で覆っていることにより、溶剤蒸散領域Ｒ２にアフタプラテン３ｃから発せられる熱がより長時間存在するので、溶剤の蒸散がより迅速となる。
【００６８】
また、カバー４がファン６から送られた、暖められた気体をメディア１００上に保つので、メディア１００の表面からも裏面からも暖めることができ、溶剤の蒸散がより迅速となる。
【００６９】
インクジェット装置１では、カバー４は、紫外線照射領域Ｒ３から漏れる紫外線の少なくとも一部が自装置外に漏れることを防止する位置にある。
【００７０】
例えば安全規格上、インクジェット装置１外への紫外線の漏れが制限されている場合、カバー４によって紫外線の漏れを防ぐことができる。よって、安全性がより向上する。
【００７１】
インクジェット装置１では、紫外線照射部５は、アフタプラテン３ｃの末端であって、紫外線照射領域Ｒ３側の末端よりも、紫外線照射領域Ｒ３側にあることがより好ましい。
【００７２】
アフタプラテン３ｃの全ての熱を溶剤の蒸散に利用できるので省エネルギーである。また、アフタプラテン３ｃが発する熱がファン６による冷却に与える影響をより小さくすることができる。
【００７３】
インクジェット装置１は、紫外線硬化型樹脂を含むインクに好適に用いることができる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明は、インクジェットプリントに利用することができる。
【符号の説明】
【００７６】
１    インクジェット装置
２    ヘッド
３    プラテン
３ａ  プレプラテン
３ｂ  メインプラテン
３ｃ  アフタプラテン（蒸散用載置台）
４    カバー（被覆部）
５    紫外線照射部（硬化部）
６    ファン（送風部）
７    駆動部
７ａ    駆動ローラ
７ｂ    駆動巻き取りローラ
８ａ、８ｂ  従動ローラ
１００  メディア（被記録媒体）
Ｒ１  インク吐出領域（被吐出領域）
Ｒ２  溶剤蒸散領域
Ｒ３  紫外線照射領域（硬化領域）
【図１】
0006047282.tif 000002
【図２】
0006047282.tif 000003
【図３】
0006047282.tif 000004
【図４】
0006047282.tif 000005